(57)【要約】【技術課題】化粧品や医薬品、食品等であって、液体を容れる各種容器類において、マイナスイオンを効果的に発生させる。【解決手段】容器１又は容器の内面又は吐出口２にマイナスイオン発生物質層３又は４を形成する。又は、容器全体又は吐出口を含むキャップをマイナスイオン発生物質を練り込んだプラスチック樹脂で成形する。又は、ストローや哺乳びん、乳首等からもマイナスイオンが発生するように形成する。この結果、内容物が流出するときに、この運動エネルギーにより効果的にマイナスイオンが発生し、使用者に精神的、肉体的な好影響を及ぼし、併せて内容物の品質の向上を図ることができる。【選択図】　　図１
2004018088.tif 000002
【特許請求の範囲】
【請求項１】
内容物と接する内壁面にマイナスイオン発生物質層を形成して成る容器。
【請求項２】
マイナスイオン発生物質を練り込んだプラスチック樹脂で成形された容器。
【請求項３】
吸引流路にマイナスイオン発生物質層を形成して成るストロー。
【請求項４】
マイナスイオン発生物質を練り込んだ材料により成形されたストロー。
【請求項５】
マイナスイオン発生物質を練り込んだ材料により成形された哺乳びん用乳首。
【請求項６】
マイナスイオン発生物質層を内面に形成して成る哺乳びん。
【請求項７】
吐出口内にマイナスイオン発生チップを装着して成る水栓。
【請求項８】
散水口にマイナスイオン発生物質層を形成するか、マイナスイオン発生チップを装着して成る散水器具。
【発明の詳細な説明】
【０００１】
【発明の属する技術分野】
本発明は、マイナスイオンの効果を発揮する容器、あるいはストロー、あるいは哺乳びん用乳首、あるいは哺乳びん、あるいは水道、浄水器等の水栓、あるいは、散水器具に関する。
【０００２】
【従来の技術】
大気中において、マイナスイオンと称される静電圧が強くなったときに人は精神的、肉体的に非常に健康な状態が出てくることが医学的に証明されている。また、マイナスイオンが動、植物の生育や病気の予防に効果があることも指摘されている。
【０００３】
【発明が解決しようとする課題】
本発明は、斯かる点に鑑みて提案されるものであって、吐出あるいは流出、あるいは噴霧時の運動エネルギーあるいは内容物が容器内で運動した時の運動エネルギーの作用で効果的にマイナスイオンを発生させることができる容器、ストロー、哺乳びん用乳首、哺乳びん、水栓、散水器具等を提供するのが目的である。
【０００４】
【課題を解決するための手段】
上記目的を達成するため、請求項１に記載の発明においては、内容物と接する内壁面にマイナスイオン発生物質層を形成したことを特徴とするものである。
【０００５】
更に、請求項２に記載の発明においては、容器において、マイナスイオン発生物質を練り込んだプラスチック樹脂で成形されたことを特徴とするものである。
【０００６】
更に、請求項３に記載の発明においては、ストローにおいて、吸引流路にマイナスイオン発生物質層を形成したことを特徴とするものである。
【０００７】
更に、請求項４に記載の発明においては、ストローにおいて、マイナスイオン発生物質を練り込んだ材料により成形されたことを特徴とするものである。
【０００８】
更に、請求項５に記載の発明においては、哺乳びん用乳首において、マイナスイオン発生物質を練り込んだ材料により成形したことを特徴とするものである。
【０００９】
更に、請求項６に記載の発明においては、哺乳びんにおいて、マイナスイオン発生物質層を内面に形成したことを特徴とするものである。
【００１０】
更に、請求項７に記載の発明においては、水栓において、吐出口内にマイナスイオン発生チップを装着したことを特徴とするものである。
【００１１】
更に、請求項８に記載の発明においては、散水器具において、散水口にマイナスイオン発生物質層を形成するか、マイナスイオン発生チップを装着したことを特徴とするものである。
【００１２】
【作用】
容器を振ったり、容器内から内容物が流出するときには、内容物に摩擦や渦流が発生し、このときの運動エネルギーにより、マイナスイオン発生物質からマイナスイオンが効果的に発生する。
【００１３】
【実施例１】（請求項１、２に対応）
本実施例１は、化粧品、あるいは食品等の容器において、マイナスイオンを発生するように工夫したもので、図１に示すように、容器１の吐出口２の内面には、図２に示すようにマイナスイオン発生物質層３を形成し、更に、図３に示すように、容器１の内壁面にはマイナスイオン発生物質層４を形成したものである。本実施例１によると、内容物を使う時に、先ず容器１を振って内容物に運動エネルギーを発生させて、この運動エネルギーにより内壁面に形成したマイナスイオン発生物質層４からマイナスイオンを発生させ、更に、吐出口２から内容物を注出するときに再度マイナスイオンを発生させると、容器１の吐出口２からマイナスイオンが多量に発散する。
但し、本実施例１のマイナスイオン発生物質層３又は４は、何れか一方だけとしても良い。又、吐出口２又は（及び）容器１全体をマイナスイオン発生物質である長石の微粉末を練り込んだプラスチック樹脂で成形してもよい（請求項２）。
【００１４】
【実施例２】（請求項３、４に対応）
本実施例２は、図４に示すようなストロー１０の内面に、図５に示すように、マイナスイオン発生物質層１１を形成した例であって、このストロー１０を用いてジュース等を吸引すると、この吸引時の運動エネルギーによりマイナスイオンが発生する。なお、ストロー１０は、マイナスイオン発生物質を練り込んだ樹脂で成形しても良い（請求項４）。
【００１５】
【実施例３】（請求項５、６に対応）
本実施例３は、図６、図７に示すように、哺乳びん２０の内面にマイナスイオン発生物質層２１を形成し、図８に示すように乳首２２をマイナスイオン発生物質２３を練り込んだゴム等で成形した例である。
この実施例３においても、哺乳びん２０を振ってマイナスイオンを発生させ、更に赤ちゃんが乳首２２を吸った時にマイナスイオンが効果的に発生する。
【００１６】
【実施例４】（請求項７、８に対応）
本実施例４は、水栓あるいは散水器具等のチップ（コマ）をマイナスイオン発生物質を混入した金属あるいは陶磁器で形成するか、図９に示すように、チップ３０内の流路３１にマイナスイオン発生物質層３２を形成することにより、水栓あるいは散水器具（シャワーを含む）からマイナスイオンが発生するようにしたものである。
【００１７】
なお、上記各実施例において、マイナスイオン発生物質としては長石が使用されており、この長石の微粉末を、塗材又はプラスチック樹脂、金属、陶磁器に対して２〜９重量％混合している。但し、この混合率は、効果及び用途によって選択する。また、マイナスイオン発生物質としては長石以外に医王石等も利用可能であり、本発明において、このマイナスイオン発生物質は限定されない。
【００１８】
【発明の効果】
本発明は以上のように、各種容器あるいはストロー、哺乳びん、水栓等において、マイナスイオンを発生するように構成したことにより、使用者にマイナスイオンの効果を与え、精神的、あるいは健康の増進、あるいは病気の好転に寄与できると共に内容物の品質の向上も図ることができる。
また、散水器具においては、散水することでマイナスイオンが効果的に発生し、これが更に植物の生育にも好影響を及ぼすことができる。
【図面の簡単な説明】
【図１】内面と吐出口内にマイナスイオン発生物質層を形成した容器の説明図。
【図２】Ａ部分の拡大断面図。
【図３】Ｂ部分の拡大断面図。
【図４】ストローの説明図。
【図５】ストローの断面図。
【図６】哺乳びんの説明図。
【図７】Ｃ部分の拡大断面図。
【図８】Ｄ部分の拡大断面図。
【図９】水栓用チップの説明図。
【符号の説明】
１　容器
２　吐出口
３、４　マイナスイオン発生物質層
１０　ストロー
２０　哺乳びん
２２　乳首
３０　チップ
【図１】
2004018088.tif 000003
【図２】
2004018088.tif 000004
【図３】
2004018088.tif 000005
【図４】
2004018088.tif 000006
【図５】
2004018088.tif 000007
【図６】
2004018088.tif 000008
【図７】
2004018088.tif 000009
【図８】
2004018088.tif 000010
【図９】
2004018088.tif 000011